(57)【要約】本発明は、磁気共鳴映像法に係り、非熟練ユーザにすら磁気共鳴イメージャの完全な制御を与える手法を提供する。本発明は、ユーザインタフェースを提供することによってこれを達成する。該ユーザインタフェースは、取得された磁気共鳴画像の視覚的提示に影響を与えるよう使用される少なくとも１つの属性に対して値を割り当てるよう設定され、また、少なくとも１つの属性の値は、視覚的に提示される取得された磁気共鳴画像上への割当ての影響を示す情報から選択されるよう設定される。したがって、コマンドは、達成されるべき結果の観点から与えられ得る（例えば、「切片をｚ軸に対して３０°回転する」）。音声制御は、実行され得る。
2007530123.tif 000002
【特許請求の範囲】
【請求項１】
磁気共鳴イメージャに対するユーザインタフェースであって、取得された磁気共鳴画像の視覚的提示に影響を与えるよう使用される少なくとも１つの属性に対して値を割り当てるよう設定され、
前記少なくとも１つの属性の前記値は、前記視覚的に提示される取得された磁気共鳴画像の内容への前記割当ての影響を示す情報から選択されるよう設定される、ことを特徴とする、
ユーザインタフェース。
【請求項２】
前記少なくとも１つの属性の前記値は、前記取得された磁気共鳴画像を形成するよう再構成される磁気共鳴信号の取得を制御するパラメータを確定し、
前記少なくとも１つの属性の前記値は、前記取得された磁気共鳴画像を形成するよう再構成された前記磁気共鳴信号の前記取得への前記確定されたパラメータの前記影響を示す情報から選択されるよう設定される、ことを特徴とする、
請求項１記載のユーザインタフェース。
【請求項３】
前記視覚的に提示された磁気共鳴画像の前記内容への前記割当ての前記影響を示す前記情報は、一連の別個の選択として提示される、ことを特徴とする、
請求項１記載のユーザインタフェース。
【請求項４】
一連の別個の選択において提示される前記情報は、一連の視覚的サンプルとして提示される、ことを特徴とする、
請求項３記載のユーザインタフェース。
【請求項５】
ユーザに対して前記属性の前記割当ての前記影響を提示する視覚的提示手段を有することと、
前記磁気共鳴イメージャに対して前記少なくとも１つの属性の前記値の前記割当てを伝達する指示入力手段を更に有することと、
を特徴とする、
請求項１記載のユーザインタフェース。
【請求項６】
前記属性の前記値は、音声制御を介し前記磁気共鳴イメージャに対して伝達される、ことを特徴とする、
請求項５記載のユーザインタフェース。
【請求項７】
前記少なくとも１つの属性は、前記磁気共鳴画像の取得中に前記ユーザインタフェースから選択されるよう設定される、ことを特徴とする、
請求項１記載のユーザインタフェース。
【請求項８】
前記磁気共鳴画像の前記視覚的提示の前記内容は、前記磁気共鳴画像の取得中に前記ユーザインタフェースを介して更新されることと、
前記少なくとも１つの属性は、前記磁気共鳴画像の前記内容の更新可能な提示の展開中に前記ユーザインタフェースから選択されるよう設定されることと、
を特徴とする、
請求項７記載のユーザインタフェース。
【請求項９】
前記少なくとも１つの属性は、画像解像度である、ことを特徴とする、
請求項７記載のユーザインタフェース。
【請求項１０】
前記磁気共鳴画像は、中心符号化オーダを使用して取得される、ことを特徴とする、
請求項９記載のユーザインタフェース。
【請求項１１】
磁気共鳴スキャンの取得に対してユーザインタフェースを制御するよう使用されるコンピュータプログラムであって、取得された磁気共鳴画像の前記視覚的提示に影響を与えるよう使用される少なくとも１つの属性に対して値を割り当てるよう設定され、
前記視覚的に提示される取得された磁気共鳴画像の前記内容への前記値の前記影響を示す情報を提示するよう設定されることと、
入力値として前記値を受けるよう更に設定されることと、
を特徴とする、
コンピュータプログラム。
【請求項１２】
前記磁気共鳴画像の取得に対する磁気共鳴装置であって、取得された磁気共鳴画像の前記視覚的提示に影響を与えるよう使用される少なくとも１つの属性に対して値を割り当てるよう設定され、
前記視覚的に提示される取得された磁気共鳴画像の前記内容への前記値の前記影響を示す情報を提示するよう設定されることと、
入力値として前記値を受けるよう更に設定されることと、
を特徴とする、
磁気共鳴装置。
【請求項１３】
磁気共鳴イメージャに対するユーザインタフェースの操作に対する方法であって、
取得された磁気共鳴画像の前記視覚的提示の前記内容に影響を与えるよう使用される属性に対する値の前記割当ての前記影響を示す情報を提示する段階と、
前記提示された情報に基づいて少なくとも１つの前記割当てに対する値を選択する段階と、
前記属性に対して前記選択された値を割り当てる段階と、
を有する、方法。
【発明の詳細な説明】
【技術分野】
【０００１】
本発明は、磁気共鳴イメージャに対するユーザインタフェースに係る。該インタフェースは、取得された磁気共鳴画像の視覚的提示に影響を与えるよう使用される少なくとも１つの属性に対して値を割り当てるよう設定される。
【背景技術】
【０００２】
米国特許第６，４００，１５７号明細書（特許文献１）は、磁気共鳴イメージャの遠隔制御に対する磁気共鳴装置を開示する。具体的には、外科的処置中に磁気共鳴スキャンを活用する外科医によるかかるイメージャの制御に対する装置が記載される。かかるスキャンは、例えば脳外科的手術中の手術道具の位置決めに対して有用であり得る。外科医は、コンピュータの制御を有し、例えば、エコー時間ＴＥ、反復時間ＴＲ、切片の軸及び解像度等のスキャンパラメータを制御することが可能である。
【０００３】
特許文献１中に記載される装置は、この場合は外科医であるユーザに、通常は技術者の制御下にある同一のスキャンパラメータを操作することを求める。したがって外科医は、これらのパラメータを正確に制御するよう磁気共鳴画像の物理的製造に関する詳細な知識を必要とする。この場合の外科医が磁気共鳴スキャンに関する相当な知識を取得していると仮定しても、それにも関わらず特許文献１中に記載された装置は、スキャンの制御を、磁気共鳴スキャン取得における専門家から磁気共鳴操作の技術以外のものにおいて訓練を受けた熟練者である他の者に移す。
【特許文献１】米国特許第６，４００，１５７号明細書
【発明の開示】
【発明が解決しようとする課題】
【０００４】
本発明は、磁気共鳴映像法において熟練ではない者によって使用され得るユーザインタフェースを与える、ことを目的とする。これは、本発明の方法に従って達成される。該方法によって、少なくとも１つの属性の値は、視覚的に提示される取得された磁気共鳴画像の内容への割当ての影響を示す情報から選択されるよう設定される。
【課題を解決するための手段】
【０００５】
人体の磁気共鳴スキャンは、外部印加磁場の重畳の間の相互作用、高周波磁場、及び人体を作る原子核の核磁気モーメントを求め、また、理解するのに複雑である画像診断法であると考えられる。磁気共鳴専門家の間では、磁気共鳴イメージャの正確且つ有利なスキャンには、訓練及び多数の変数間の相互作用に関する詳細な知識が要求される、と言われている。この知識がないと、磁気共鳴スキャンの取得は、診断学上有用なスキャンを作り得る又は作り得ない組合せへの変数の実験的操作に依存して可能性のある事柄（ｃｈａｎｃｅ  ａｆｆａｉｒ）となり得る。
【０００６】
磁気共鳴映像法は、診断学上有用にする解像度における多くの軟組織の種類間における有利な区別を有する医療画像を作る。これによって磁気共鳴映像法は、優れた軟組織のコントラストを示さないＸ線コンピュータ断層撮影等の従来のＸ線撮像モダリティと比較して、魅力的なものとなる。継続的に、磁気共鳴の応用をますます多数の臨床範囲へと延ばすように、放射線学において動きがある。これらの範囲のうち複数は、医療関係者による参加を含むが、該関係者のうち全員が磁気共鳴映像法技術における熟練者であるわけではない。
【０００７】
かかる一例は、外科的診療処置への磁気共鳴の延長である。ここでは、磁気共鳴映像法は、外科医が撮像し得、その結果外科医が手術をしている生体構造を視覚化できるよう、外科的処置中に使用される。患者及び外科医は、適切なイメージャの場所において物理的に存在しなければならず、取得された画像は、外科医が手術をしている位置から外科医が見ることができるようにされなければならない。外科医がこれらの状況下で磁気共鳴映像法の可用性から最大限の有益性を獲得するよう、外科医は、撮像工程を直接制御することができるべきである。これは、切開を行って該切開場所を取り囲む生体構造に関する非常に具体的且つ正確な視覚情報を求める工程にあるのは外科医である、ことを考慮することで容易に説明され得る。該外科医は、自分に提示された画像が考慮中である生体構造を十分に示すか否かを評価するには最適である。同様に、提示された画像が適切な手法において所望される正確な生体構造を示さない場合、外科医は、メスの位置を合わせる前にどれだけの画像平面が変更されるべきか、また更には、画像が十分に明確ではない場合、画像のコントラスト又は解像度がどのようにして変更されるべきであるかを考える最適な人物である。
【０００８】
しかしながら、外科医は、自身の分野においては非常に熟練しているが、磁気共鳴映像法における熟練者であることはめったにない。本発明によって、各々が結果もたらされる磁気共鳴画像への影響を有する複数の属性を使用してユーザに磁気共鳴画像の提示を制御させ得ることで、かかる非熟練者であるユーザは、画像の取得を正確に制御することができる。
【０００９】
磁気共鳴イメージャにおける機器の異なる部分は、例えばスピンシーケンス選択、切片又は容積選択、切片の厚さ、又は切片の位置合わせ等の画像品質を左右する入力値によって制御される。これらの入力値は、イメージャの制御システムによって多種のスキャンパラメータへと替えられる。スキャンパラメータは、勾配磁場を作るコイル、あるいは送信又は受信高周波コイル等である機器の個別部分の操作を直接制御する。本発明は、スキャンパラメータの選択を左右する情報がユーザからイメージャの制御システムに伝えられる方法を変える。通常の使用において、入力値は、制御コンソール上の入力画面へとユーザによって入れられ、システム制御に対して一連の指示として伝えられる。例えば、勾配コイルの正確な作動を示す値は、所望される画像の正確な平面位置合わせを入力することによって制御システムに対して与えられ得る。したがってもたらされる断面画像の特定の平面の位置合わせに対する要求は、該正確に所望された位置合わせの幾何学平面において始まる磁気共鳴信号を作る変化する勾配磁場の強さの組合せとなる。
【００１０】
同様にして、スピンシーケンスの選択は、多種の勾配コイルを有する送信高周波コイル及び受信高周波コイルの相対的機能を正確に計時するよう指示を有する制御システムを与える。これは、選択されたスピンシーケンスに依存して、画像へと再構成される際に可変の度及び型の組織コントラストを示す対象物から磁気共鳴信号を導き出す。
【００１１】
更には、磁気共鳴イメージャに対する操作の多種の追加的なモードに関するユーザによる選択は、磁場及び高周波磁場の相互作用によって生成されるデータを正式に取得する方法を指示する。例えば、イメージャは、制御システムを介して、各々が利点及び不利点を有する複数のデータオーダのうちのいずれか１つにおいてデータを取得するよう支持され得る。データがｋ空間においてサンプルを取られるオーダ及び率は、結果もたらされる画像品質に直接影響を与える。心拍又は動脈系を介する常磁性造影媒体の流れ等の身体構造上の運動を有する画像は、周辺からのデータ以前にｋ空間の中心からのデータを得るサンプリングのオーダから益を得る。これは、詳細を符号化する画像信号を使って全身体構造上の詳細を符号化する画像信号の比率を増大させるが、使用可能な時間が限られている際は診断上有用な画像を作る。
【００１２】
多種のサンプリングオーダは、磁気共鳴データの取得を達成するよう展開され、それらの間の選択は、経験のあるオペレータによってなされ得、制御コンソールの画面へと入力される。
【００１３】
これに加えて、イメージャは、高周波受信コイルを使用して高密度データをサンプルするよう指示され得るか、あるいは、データのサブセットをサンプルしてサンプルのサブセットから欠損したデータを再構築するよう支持され得る。例えば、高周波ｋ空間からデータの半分のみ又は四分の１をサンプルすること、及び、サンプルされたデータの共役から残っているサンプルされていないデータを再構築することが可能である。また、特定の磁気共鳴映像法取得においてこれを行うか否かの選択は、経験のあるオペレータによってなされるのが最善である。
【００１４】
制御コンソールの入力画面へと値を入れることは、キーボード又はマウス制御を有するカーソルの使用及びジョイスティックの使用を有する複数の既知の手法のうちのいずれか１つにおいて実行され得る。データの入力は、しばしば、スキャン中にユーザに対して提示されるシステムメニューによって定義付けられたセットパターンに続く。システムメニューによってユーザは、例えば、スキャン平面の位置、スキャン平面の向き、スキャン平面の寸法、及び使用されるスピンシーケンスに対する入力値、並びに、最終スキャンの解像度を制御することができる。データは、システムメニューが可能とするいかなるオーダにおいても入力され得る。
【００１５】
スキャンパラメータを制御するよう使用される通常のデータ値を入力する代わりに、本発明によればユーザは、もたらされる結果の観点から定義付けられる磁気共鳴イメージャの制御システムに対して情報を与えることができる。言い換えると、ユーザが特定のパラメータ又は入力値の影響を知り理解しなければならないよりはむしろ、ユーザは、所望する結果を選択し、制御システムに対してこれを情報として入力する。続いて制御システムは、これらの指示を必要なスキャンパラメータへと替える。言い換えるとユーザは、特定の属性を選択し、その選択は、ユーザが指揮している磁気共鳴スキャンの最終提示に直接的な影響を有する。
【００１６】
スキャンの結果を定義付ける情報は、多種の手法においてユーザに対して与えられ得る。
【００１７】
非熟練者であるユーザ側の混乱を防ぐよう、情報は、別個の選択の形式において提供される。外科医が非熟練ユーザである例においては、ユーザは、磁気共鳴イメージャを使用及び制御する時点で既に複数の選択及び視覚空間タスクに直面している。かかるユーザに複数の別個の選択のみを与えることは、ユーザが受ける及び応答せざるを得ない情報量を制限する。情報は、オプションの別個のリストとして提供され得、かかるリストは、各選択の結果に関する一式の説明であり得る。そのため例えば、頭蓋部に外科的処置を行い、手術している脳の部分のスキャンを行いたいとする外科医は、スピンシーケンスに対して２つの可能なオプションのリストに直面し得る。一方は、「脳白質高度スキャン」として説明され、他方は「灰白質高度スキャン」として表題される。同様に、全体の生体構造の他の範囲に対して適用される通りの多種のスピンシーケンスは、最も顕著に視覚的差別化される属性の観点から同様に説明され得る。
【００１８】
１つの特に成功した提示が視覚的提示である、ことは判明している。これは、ユーザが結果もたらされる画像を判断する手法と同一の手法において属性の選択を判断することを可能とし、そうすることでこれは、ユーザの注意を奪う異なる種類の情報の全体数を低減する。視覚的提示の場合、スピンシーケンスの属性等の選択は、一連の別個の典型的な画像の形状においてユーザに対して与えられ、該画像の各々は、特定のスピンシーケンスを使用して取得された場合の画像の見え方のサンプルを与える。ユーザは、別個のリスト又は視覚的サンプル画像のアレイから、所望する画像の形状に最も近く見えるものを選択する。該選択は、入力属性としてシステムへと入力され得、続いて、選択されたスピンシーケンスを磁気共鳴イメージャに対して適用するよう必要とされる所望されるパラメータへと制御システムによって替えられる。
【００１９】
ユーザに値を入力させ得る特に有用な手法は、音声制御を介する。外科医によるユーザ制御の場合、これは、ユーザと制御コンソールとの間の物理的接触なくシステムの直接制御を可能にし、故にユーザの殺菌状態を危うくするユーザによる汚し又はユーザの汚れを防ぐ。
【００２０】
音声制御は、マイクロフォン又は音声認識ソフトウェア等の音声制御の通常の方法によって達成され得る。ユーザインタフェースは、入力値が音声制御システムを介して入力される一方で入力画面上に視覚的に再生されるように構成され得、ユーザは、磁気共鳴イメージャに既に入力された指示のトラックを維持し得る。
【００２１】
システムの制御及び属性の選択を促進するよう、一式の音声コマンドは、どれがシステムを制御するよう使用されるかを明確に表され得る。この一式の音声コマンドは、磁気共鳴映像法の深い又は徹底した認識に具体的に依存しない一式の最低限のコマンドに対して合理化される。これは、ユーザが磁気共鳴映像法において使用される用語の知識なく磁気共鳴装置を制御することを可能にする。入力画面における選択は、したがって一般的な言葉及びコマンドを使用して行われ、これらの言葉及びコマンドは、コマンドの全体的なシーケンスを形成するようなぎ合わされることもある。
【発明を実施するための最良の形態】
【００２２】
本発明のこれらの及び他の態様は、以下の図面を参照して更に説明される。
【００２３】
図１は、デュアルディスプレイ装置を図示する。該装置の一方のディスプレイは、現在の画像データに対して使用され、他方のディスプレイは、与えられた状況情報（ｃｏｎｔｅｘｔｕａｌ  ｉｎｆｏｒｍａｔｉｏｎ）に対して使用される。この状況情報は、属性に関するユーザの選択を促進する視覚的合図を与えるよう、更なる基準画像、現在ある画像上へのオーバーレイ、三次元斜視図、又は実際には更なるディスプレイであり得る。図１中、この場合は頭蓋の切片である取得された画像は、状況ディスプレイ（ｃｏｎｔｅｘｔｕａｌ  ｄｉｓｐｌａｙ）上に示された取得された画像平面位置を有してデュアルディスプレイ装置の左側に示され、この場合の頭部のディスプレイは、デュアルディスプレイ装置の右側に示される。これによって、ユーザは、取得直後の画像の状況を見ることができ、また、切片の正確な位置を概念的に説明することができる。同様にして、状況ディスプレイは、取得されようとしている切片の位置を示すよう使用され得る。かかる場合においては、状況ディスプレイは、既に取得された切片の状況位置を示し、続いて、取得されるべき次の切片の位置を制御するようユーザが入力したより多くのコマンドとして変更する。このようにして、提示は、入力されたコマンドが実行される場合の影響をユーザに示す。この場合、属性は、取得切片の位置的座量又は取得切片の向きとして大まかに説明され得る。この向きは、身体構造上の空間内で正確に画像切片の位置合わせを定義付ける数学的直交座標の観点から考えられ得る。これらの直交座標は、ｘ，ｙ及びｚ座標、あるいは、例えば切片に対する法線ベクトルのｒ，Θ及びΦ座標であり得る。これらの座標又は属性は、ディスプレイ自体に対して直接適用される属性の選択の結果を使用して、この場合では状況ディスプレイから選択される。言い換えると、ディスプレイは、意図された取得の視覚的描写を示し、切片の向き又は属性に関するユーザ自身の選択は、この提示からなされる。
【００２４】
磁気共鳴イメージャの音声制御を可能にする一式のコマンドは、切片の位置付けの単純化された制御を可能にするよう設計され得る。故に、ユーザは、幾何学的座標の観点から意図された取得切片の位置を定めることを求められる必要がない。その代わりに、コマンドの語彙及び音声制御システムは、指示的コマンドを活用するよう設計され得る。言い換えると、取得切片の位置合わせの属性を選択するよう活用されるコマンドは、前の選択を説明する属性を変更することによってその選択を表すことができる。コマンドがユーザによって出されるため、取得切片の位置を示す状況ディスプレイは、取得切片の位置において選択された変化を表す。言い換えると、取得切片の位置は、状況ディスプレイ上で動く。
【００２５】
図２は、新しい切片の場所又は向きに対する操作平面のこの動きを示す。意図された切片取得平面のこの動きはまた、リアルタイムで、言い換えると磁気共鳴取得が動いている間に、シミュレートされ得る。それは、興味対象の領域又は生体構造の別個に表示された三次元斜視身体構造モデル上に示され得る。このようにして、オペレータが場所を変えるよう音声コマンドを出す際、三次元モデル上に重畳される取得切片の動きは、磁気共鳴取得を調整することなくシミュレートされる。求められる方向における動きは、ディスプレイ上の動きの適切な解像度を与える速度であるべきであり、したがって、ユーザは、切片が診断上有用である位置又は向きに置かれる際に知覚し得る。これによって、オペレータは、動きを停止するコマンドを容易に出すことができる。動きがシミュレートされた切片上で終了する際、磁気共鳴取得は、新しい切片の位置情報を有して更新される。新しい切片の画像は、続いて、メイン画像ディスプレイ上で更新される。
【００２６】
興味対象の領域の三次元斜視身体構造画像は、重畳された現在の切片の位置を有して別個の状況ディスプレイにおいて使用可能である。これは、地球の球体のようでありオペレータに対する視覚的基準として使用される。あるいは、レーザ又は同等のものを用いる切片の位置の投影は、生体構造上になされ得る。
【００２７】
装置によって活用される指示的コマンドの種類は、以下の音声制御のシーケンス等によって例示され得る（コマンドは左側に、説明は右側に記載される）：
【００２８】
【表１】
2007530123.tif 000003
上述された例から、かかるコマンド構造を使用する１つの手法は、ネスト化されたコマンドを使用することであることが判り得、コマンド用語の使用によって、ユーザは、特定の属性又は一式の属性を決定するコマンドの更なるメニューに対してアクセスすることができる。
【００２９】
他の属性は、取得切片の向きに加えて、本発明を使用して取得され得る。例えば、本発明は、取得の視野を変更するよう、又は、取得された画像の一部分をズーム又は拡大するよう使用され得る。
【００３０】
図３は、画像の一領域をズームするよう使用される「ズーム」モードの一例を示す。使用のされ方の一例として、オペレータは「ズームモード」を要求する。続いて状況ディスプレイは、重畳された粗いグリッドを有する現在の画像、及び異なるインデックスを有してラベルをつけられたグリッド上の各四角形を示す。一領域をズームするよう、オペレータは、興味対象の領域に対して最も近いグリッドの四角形を選択し、該四角形をラベル付けするインデックスを発生する。例えば領域Ｆ６をズームするよう、ユーザは「Ｆ６」と言う。続いて選択された領域は、状況ディスプレイにおいて中心にそろえられ、デジタルズームを行い始める。ズームの段階が十分である際、ユーザは、「停止」という言葉を言うことによって動きを完了させる。取得が新しい視野を取得するよう再構成されるか、あるいは、画像ディスプレイが現在のズーム設定に対して補間される。オペレータは、「続行」又は「取得」のいずれかを言うことによって、これらの動作の一方又は他方を選択し得る。
【００３１】
図４は、ズーム動作の結果を示す。
【００３２】
単純化されたコマンドシステム内で、一般的な用語は、磁気共鳴イメージャを制御するよう使用される。例えば、コマンド「続行」は、「ズーム」コマンドの後に続き、画像ディスプレイに対して適用されたデジタルズームを有する現在のスキャンを続行させる。コマンド「取得」は、「ズーム」コマンドの後に続き、取得が現在の位置とズームされた視野設定を有して更新されるようにする。
【００３３】
本発明は、画像の視覚的外観を説明するとされ得る他の属性を変更するよう使用され得る。かかる属性の一例は、画像中のコントラストによって説明され得る。本発明を使用してこれがどのように達成され得るかについての一例として、ユーザは、システムをこの特定の属性が変更し得る操作のモードにするよう設計されたコマンドを発声する。例えばこれは、「コントラスト」という語であり得る。これは、多種の異なる画像コントラスト及び撮像方法を反映する状況ディスプレイにおいて多数のサンプル又は合成された画像のディスプレイを引き起こす。
【００３４】
これは図５中に示される。オペレータは、所望のコントラストに合致する画像又は撮像方法のラベルを発声する。コントラストを要求して、オペレータは、コマンド「続行」と言い、システムは、例えば切片位置及び視野であり得る前の画像の他の全ての属性を維持すると同時に、即座に所望されるコントラストを与える撮像方法に切り替える。
【００３５】
同様のコントラストを与える複数の異なる撮像方法がある際は、取得時間を増大させるよう各方法から例の画像を与えることは可能である。取得時間は、全体の画像の組の相対的パーセンテージとして、画像の隣に表示され得、選択を支援する。そのため、オペレータは、６％の取得時間においてコントラストＣを選択し得る。これは、特定の種類のコントラスト及び特定の種類の撮像方法を決定付ける。例えば、複数の撮像方法は、Ｔ２加重画像を作るよう使用可能である。これらは、図６中の表において比較される。
【００３６】
本発明はまた、画像解像度を制御するよう使用され得る。しかしながら、画像解像度は、リアルタイムでも制御され得る。オペレータは、したがって、磁気共鳴信号データの更なる取得と共に徐々に向上する画像解像度を見ることができるため、画像品質が十分であるときに取得を停止すること、又は解像度を固定することを選択できる。
【００３７】
そのため例えば、解像度における変更を引き起こすよう、オペレータは、「双方向性」の前にコマンド「解像度」を出す。続いて撮像方法は、中心符号化オーダに切り替え得る一方、現在の位置及び視野を保持し、継続的に更新される画像を表示すると同時に取得を続行し得る。オペレータが画像ディスプレイウィンドウにおいて見るものは、非常に低い解像度の画像であり、該画像はリアルタイムでは、より高いｋ空間線がサンプルされるため解像度において更に高くなる。オペレータは、所望の解像度が達成される際にコマンド「停止」を出す。「停止」コマンドの後、撮像は、選択された解像度において続行される。所望の場合に撮像方法がその本来の符号化オーダに切り替え戻され得る、ことは可能である。
【００３８】
図７及び図８は、オペレータが見得るものの一例を図示する。水平方向のバーは、その時点でのスキャン完了の段階に関連するパーセンテージの解像度を示す。このようにして解像度選択を実行することによって、ユーザは、目先のタスクに対する解像度の安定性を感じるばかりではなく、所望の解像度に達するためにかかる時間を感じ取る。オペレータは、画像の一定の所望の属性が十分明確である際、最適な解像度においてスキャンを続行し得る。
【００３９】
この展開する画像は、続いて、オペレータの解像度の要求を満たすよう最も効率的に常に得られる。
【００４０】
あるいは、「解像度」コマンドに続き、オペレータは、「３ＭＭ」等の固定された解像度コマンドを言うよう選択し得る。これは、双方向ルーティン無く新しい解像度において取得するよう撮像方法を単純に変更する。
【００４１】
リアルタイムの双方向磁気共鳴撮像機能を備えられている際でもオペレータに複雑なパラメータ変更を行うよう求める従来の磁気共鳴装置の使用に対して本発明が利点を与える、ことは判り得る。音声制御の追加は、手動入力機構の使用が避けられるという更なる利点を確実にする。外科的ユーザの場合、これは、外科医の手が自由に患者の手術をすることができること、及び、外科医が更には患者を囲む殺菌された環境を危険にさらすことなく磁気共鳴イメージャと交信することができること、を意味する。
【図面の簡単な説明】
【００４２】
【図１】本発明を使用する磁気共鳴イメージャのユーザインタフェース上に示され得るデュアルディスプレイ装置を図示し、一方のディスプレイは、現在の画像データに対して使用され、他方のディスプレイは、ユーザに本発明が制御を与える属性の選択を与えるよう活用される状況情報を与えるよう使用される。
【図２】興味対象の領域又は生体構造の別個に表示された三次元斜視身体構造モデル上にシミュレートされた新しい切片の位置又は向きに対するスキャン平面の３つの動きを図示する。
【図３】本発明が画像におけるズームを制御するよう活用され得る一例を図示する。
【図４】図３中の画像に対して適用されるズーム動作の結果を図示する。
【図５】画像中のコントラストの制御に対する本発明の使用を図示する。
【図６】Ｔ２加重画像に対して使用されるパラメータを示す表を図示する。
【図７】画像の解像度の制御に対する本発明の使用を図示する。
【図８】画像の解像度の制御に対する本発明の使用を図示する。
【図１】
2007530123.tif 000004
【図２】
2007530123.tif 000005
【図３】
2007530123.tif 000006
【図４】
2007530123.tif 000007
【図５】
2007530123.tif 000008
【図６】
2007530123.tif 000009
【図７】
2007530123.tif 000010
【図８】
2007530123.tif 000011
【国際調査報告】
2007530123.tif 000012
2007530123.tif 000013
2007530123.tif 000014